(57)【特許請求の範囲】
【請求項１】
単体、又は複数個を連設して陳列棚等に用いるスリーブアウト什器用アタッチメントであって、
下部が開口する略コの字状の左右の固定部と、
商品を掛けるための前辺部と、
商品を陳列するための奥行き領域を確保するために前記前辺部を前方に突き出すための左右の接続部と、
前記固定部と前記接続部を繋ぐための屈曲部と、から構成され、
前記屈曲部によって、
連設時に隣り合う前記固定部同士が干渉せず、且つ、
連設時に隣り合う前記接続部同士が当接関係となる位置へ前記接続部と前記固定部とを配置するように繋ぎ、
一方の前記接続部と他方の前記接続部に設けた連結構造により加重負担を分散可能とした構成を採用したことを特徴とするスリーブアウト型什器用アタッチメント。
【請求項２】
前記左右の接続部が、前記前辺部の端部から内側へ向かう傾斜角を有して配置されていることを特徴とする請求項１に記載のスリーブアウト型什器用アタッチメント。
【請求項３】
前記前辺部において、両端付近から両端に向かって内側へ穏やかに曲げられた曲げ形状部を有し、係る曲げ形状部の端部と前記接続部の端部が繋がることを特徴とする請求項２に記載のスリーブアウト型什器用アタッチメント。
【請求項４】
前記前辺部の形状が分割円弧状であることを特徴とする請求項１又は請求項２に記載のスリーブアウト型什器用アタッチメント。
【請求項５】
前記前辺部の上部に、複数の斜め溝が形成されていることを特徴とする請求項１から請求項４のいずれかに記載のスリーブアウト型什器用アタッチメント。
【請求項６】
前記前辺部が、前記接続部の左右のいずれか又は両方の前端部又は後端部から前記前辺部を上方へ平行にシフトさせるためのシフト部を有し、該シフト部は商品陳列用ハンガーフックに対するクリアランスを設けることで、連設した前記前辺部を前記商品陳列用ハンンガーフックが移動可能であることを特徴とする請求項１から請求項５のいずれかに記載のスリーブアウト型什器用アタッチメント。
【発明の詳細な説明】
【技術分野】
【０００１】
本発明は什器に関し、詳しくは、多数の商品を効率よく配置して商品管理に資すると共に、整然とした商品の陳列と、特に晩期において商品の欠品を目立たなくさせるスリーブアウト陳列用の什器用アタッチメントの技術に関する。
【背景技術】
【０００２】
多くの種類の商品を扱う小売店にとって、限られたスペースを有効に活用して効率よく商品を陳列することはもちろんのこと、色別、サイズ別、種類別などの区分毎に分けて配列し、その配列の仕方によっては需用者の購買意欲を掻き立てることについて重要な役割を担うものである。
【０００３】
また、需用者の購買意欲は、商品の人気の程度・サイズ・模様・色彩・図柄など、種々の要素に対し、個別具体的な需用者それぞれの個人個人の趣向性に左右されることから、売れ行きの良い商品が早期に完売や品切れとなった場合には「入荷待ち」や「売り切れ」等のタグが吊り下げられることなる。
これをフェイスアウト用の什器で陳列する場合では、正面から見た場合に空間が目立つ陳列となり、品揃えの悪い店舗というイメージを需用者に与えてしまうおそれがある。また、売れ残り商品の中から選択しなければならないのかというような不満を抱かせてしまうことにもなり兼ねない。特に晩期では在庫のなくなった売れ行き好調な商品と、そうでない商品とでバラツキが目立つようになり、商品の品揃えや供給状態について、その店舗の顧客に対するサービスへの信頼を失う恐れもある。なお、スーパーやホームセンターなど多種多様な商品を扱う店舗では、在庫状況や売れ行きなどの商品管理の観点からＪＡＮコード等毎に配列し、これをＰＯＳシステム（販売時点情報管理システム）によって商品管理を行いながら、あわせて商品の陳列に工夫をすることが必要である。
【０００４】
このような問題に対して、従来からも様々な技術が提案されている。例えば、少ない種類のオプションで陳列什器をフェイスアウト陳列、スリーブアウト陳列、フォールテッド陳列の陳列方式に使い分けできるようにする構成（特許文献１参照）が提案され、公知技術となっている。より詳しくは、什器本体に結合させるための爪を基部に設けた複数本のフェイスアウト用バーと、このフェイスアウト用バーの先端間に掛け渡して取着されるスリーブアウト用バーとで形成される兼用バーを一つのオプションとし、また棚板を支持するために兼用バーの上に載置されるフォールテッド用フレームを一つのオプションとし、兼用バーのフェイスアウト用バーを用いることによってフェイスアウト陳列ができると共に、スリーブアウト用バーを用いることによってスリーブアウト陳列ができる。また兼用バーの上にフォールテッド用フレームを載置することによって、この上に棚板を置いてフォールテッド陳列ができるものである。
即ち、係る構成によって、１つの陳列スペースをさまざまな形態とすることができるという技術が開示されている。しかしながら、各構成部材を繋ぎ合わせるため部品点数が多くなり強度面でも十分な剛性を確保するには本願発明と比較するとコスト面において前記問題の解決には至っていない大きな問題が残されていると考えられる。
【０００５】
また、バーの固定を簡単、かつ、確実に行うことができる什器構造（特許文献２参照）が提案され、公知技術となっている。より詳しくは、什器の基体面から略垂直に一対のブラケットが突設し、この一対のブラケットにバーを上記基体面と略平行に係止した什器構造において、上記ブラケットの貫通孔に挿通された操作ネジ、この操作ネジが螺合し、かつ、同ブラケットに対向して、操作ネジ締め時に同ブラケットと当接するブラケット当接部、および、このブラケット当接部の先端から鈍角をなして突設されるとともに、摩擦部が形成され、かつ、操作ネジ緩め時に上記バーから離れ、操作ネジ締め時に同バーと密接するバー固定部を有するバー固定部を設けた構成である。
この構成によって、陳列用バーを容易にかつ安定して固定することができる。しかしながら、多数の商品を効率よく配置して商品管理に資すると共に、整然とした商品の陳列と、特に晩期において商品の欠品を目立たなくさせるという課題については解決に至っていない。
【０００６】
また、特には、熟練を要さず短時間で簡単に設置、撤去でき、また、設置（連結）後の平面が綺麗であり、簡単にレイアウト変更できて多目的に使用でき、しかも、撤去後でも繰返し使用できる（資材の無駄が省ける）ように什器を連接するために使用する、陳列用什器の装飾連結具とその連結方法（特許文献３参照）が提案され、公知技術となっている。より詳しくは、合成樹脂製で片割れ筒状に形成され、型材やパイプ材を主体に形成され左右に連続、配置された複数の什器を位置決めしつつ連接するために使用されるものであり、互いに隣接する各什器に備えた上辺フレームの外側面を突き合わせ若しくは離間して当該上辺フレームの間に、または、互いに密接する各陳列用什器に備えたハンガー取付けパイプの外側面を突き合わせ若しくは離間して当該ハンガー取付けパイプ間に、または、互いに隣接する各什器に備えた棚板の外側面を当接させ若しくは離間して当該棚板、外側面に着脱自在に外装、架設させることにより、前記陳列用什器複数の表面を同一平面状に形成させるところに特徴がある。
この構成によって、短期間で什器の設営、撤去が可能である。そのため、商品陳列形式を柔軟に変更可能である。しかしながら、多数の商品を効率よく配置して商品管理に資すると共に、晩期における商品の売れ残り感を起こさせず、商品の陳列を実現させる什器アタッチメントの提供を図るという課題の解決には至っていない。
【先行技術文献】
【特許文献】
【０００７】
【特許文献１】特開平５−４９５３０号
【特許文献２】特開２０００−６０６９３号
【特許文献３】特開２００５−２５３８５４号
【発明の概要】
【発明が解決しようとする課題】
【０００８】
本発明は、同種の商品を陳列する陳列棚等に備えるアタッチメントとして、多数の商品を効率よく配置して商品管理に資すると共に、晩期における商品の売れ残り感を起こさせないような商品の陳列を実現させる什器アタッチメントの提供を図るという課題を解決するものである。
【課題を解決するための手段】
【０００９】
単体、又は複数個を連設して陳列棚等に用いるスリーブアウト型什器用アタッチメントであって、下部が開口する略コの字状の左右の固定部と、商品を掛けるための前辺部と、商品を陳列するための奥行き領域を確保するために前記前辺部を前方に突き出すための左右の接続部と、前記固定部と前記接続部を繋ぐための屈曲部と、から構成され、前記屈曲部によって、連設時に隣り合う前記固定部同士が干渉せず、且つ、連設時に隣り合う前記接続部同士が当接関係となる位置へ前記接続部と前記固定部とを配置するように繋いでいることを特徴とする構成を採用した。
【００１０】
また、本発明は、前記左右の接続部が、前記前辺部の端部から内側へ向かう傾斜角を有して配置する構成とすることもできる。
【００１１】
また、本発明は、前記前辺部において、両端付近から両端に向かって内側へ穏やかに曲げられた曲げ形状部を有し、係る曲げ形状部の端部と前記接続部の端部が繋がる構成とすることもできる。
【００１２】
また、本発明は、前記前辺部の形状が分割円弧状である構成とすることもできる。
【００１３】
また、本発明は、前記前辺部が２つの分割構造を有し、一方は中空部材で他方を嵌入可能とし、長手方向の長さを可変調節可能とする構成を採用することもできる。
【００１４】
また本発明は、前記接続部において、連設時の当接の際に一方の前記接続部と他方の前記接続部に設けた連結構造により荷重負担を分散可能とした構成を採用することもできる。
【００１５】
また、本発明は、前記前辺部の上部に、複数の斜め溝が形成されていることを手段とすることもできる。
【００１６】
また、本発明は、前記固定部に、前方に突出したフックが設けられていることを手段とすることもできる。
【００１７】
また、本発明は、前記固定部が平板な部材の上部爪部を有する固定部であることを手段とすることもできる。
【００１８】
また、本発明は、前記前辺部が、前記接続部の左右のいずれか又は両方の前端部又は後端部からが前記前辺部を上方へ平行にシフトさせるためのシフト部を有し、該シフト部は商品陳列用ハンガーフックに対するクリアランスを設けることで、連設した前記前辺部を前記商品陳列用ハンンガーフックが移動可能である構成を採用することもできる。
【発明の効果】
【００１９】
本発明に係るスリーブアウト型什器用アタッチメントは、同種の商品を陳列する陳列棚等に備えるアタッチメントとして、多数の商品を効率よく配置して商品管理に資すると共に、晩期における商品の売れ残り感を起こさせないような商品の陳列を実現できるという優れた効果を発揮するものである。
【図面の簡単な説明】
【００２０】
【図１】本発明に係るスリーブアウト型什器用アタッチメントの全体形状を示す説明図である。
【図２】本発明に係るスリーブアウト型什器用アタッチメントを４つ組み合わせた実施例を示す説明図である。
【図３】前辺部が曲状である場合の実施例説明図である。
【図４】本発明を複数配置して円形の什器となる実施例説明図である。
【図５】前辺部が伸縮可能な場合の実施例説明図である。
【図６】本発明を２つ以上並列して使用した場合の使用状態説明図である。
【図７】本発明を並列した場合の接続部の嵌合状態を示す説明図である。
【図８】前辺部に傾斜溝が設けられた実施例説明図である。
【図９】固定部に値札等表示用のバーをつけた実施例説明図である。
【図１０】本発明に係るスリーブアウト型什器用アタッチメントの使用状態説明図である。
【図１１】固定部の別の形状を採用した実施例説明図である。
【図１２】使用状態における陳列状態比較説明図である。
【図１３】前辺部が垂直に上方へシフトした構成の全体説明図である。
【図１４】前辺部が垂直に上方へシフトした構成の拡大説明図である。
【発明を実施するための形態】
【００２１】
本発明であるスリーブアウト型什器用アタッチメントは、簡易な構造で製造でき、商品を整然と整列して陳列可能とするために、接続部が当接することにより、商品間の隙間が大きく開くことを回避して、品揃えの売れ残り品等のイメージを需用者に起こさせることなくした点を最大の特徴とする。
なお、本実施例で示されるスリーブアウト型什器用アタッチメント１の全体形状及び各部の形状は、下記に述べる実施例に限定さるものではなく、本発明の技術的思想の範囲内、即ち、同一の作用効果を発形状及び寸法の範囲内で変更することができるものである。
（実施例１）
【００２２】
図１は、本発明に係るスリーブアウト型什器用アタッチメント１の実施例を示す全体説明図であり、図１（ａ）は全体構成を示す斜視図であり、図１（ｂ）は、従来型のフェイスアウト型什器用アタッチメントと比較のための比較説明図である。本発明に係るスリーブアウト型什器用アタッチメント１は、商品陳列用の陳列棚Ｊ等の側面に固定し、長いバーである前辺部３００に商品Ｍを吊るすことで、大量の商品Ｍを陳列可能にするものであり、その構成は、固定部１００と接続部２００と前辺部３００と屈曲部４００と、から成るものである。
固定部１００は、スリーブアウト型什器用アタッチメント１を陳列棚等に固定する固定用部材であって、本実施例では、被固定部を角柱状としているが、他に網目状でも、パイプ状でもよい。また、固定部１００によって、接続部２００、前辺部３００、屈曲部４００及び大量の商品Ｍを支えるため、曲げ、ゆがみが生じない程度の強度が必要である。本実施例では、角柱に固定するため、下方向に開口したコの字型をしている。固定部１００は、左右２つ配置しているが、十分な固定強度があれば１つでもいいし、３つ以上でもよい。
固定部１００の前辺部３００側の面は、対向する面よりも下に長い構造である。商品の荷重による負荷を分散するためである。固定部１００の上面には、接続部２００が配置されている。固定部１００、接続部２００とも金属の場合は、溶接によって固定部１００と接続部２００を固定すると好適である。
【００２３】
接続部２００は、前辺部３００と屈曲部４００とをつなぐ部分である。本実施例を示した図１では、前辺部３００、接続部２００及び屈曲部４００を一本の線材を折り曲げて成形したように示しているが、これに限定されるものではなく、例えば、これらを構成部毎に分解組み立てできる構成であってもよく、また、パイプ形状のような中空部材を用いてもよい。
【００２４】
具体的には、接続部２００の先端が、前辺部３００の左右いづれかの端部とつながり、接続部２００の後端は屈曲部４００の先端とつながり、屈曲部４００の後端が固定部１００へとつながる構成を採用している。
【００２５】
なお、係る構成を採用することによって、固定部１００が干渉しない効果を発揮する。そしてまた、陳列棚に対し、複数の什器が隙間なく正確に配置され、接続部同士が当接されることにより隙間が生じない構成から、商品の欠品を印象付けない効果を発揮する。
【００２６】
前辺部３００は、商品Ｍを吊り下げる部分である。比較的長い棒状であるので、大量の商品Ｍを吊り下げることが出来る。その際、固定部１００の互いの外側端部間の距離よりも前辺部３００の長さが長いので、固定部１００の位置に制限されることなく、大量の商品Ｍを吊り下げることが出来る。
【００２７】
図１（ｂ）は、本発明に係るスリーブアウト型什器用アタッチメント１の配置構成例を示している。衣料販売等では、季節の変わり目等において、新商品と、それ以前の商品の双方を陳列しなければならない時期がある。係る時期において、従来は、商品の内容、絵柄が分かりやすいように、フェイスアウト型用什器アタッチメントＤを陳列棚に複数固定し、商品を陳列していた。しかし、上記のフェイスアウト型用什器アタッチメントＤを用いた陳列方法では、在庫のばらつきによる売れ残り感が生じる恐れがあった。そこで本願発明におけるスリーブアウト型什器用アタッチメント１を用いると、商品の内容、絵柄は、分かりにくくなるが、ＪＡＮコード等が記載されたタグシートなどを挟んでおけば目立たず商品管理は容易になると共に、売れ残り感が出ることもない。
（実施例２）
【００２８】
他の実施例について図２を用いて説明する。
図２は、本発明に係るスリーブアウト型什器用アタッチメント１の他の実施例であり、４つのスリーブアウト型什器用アタッチメントを什器の４辺に配置し、周囲のすべてに商品を配置できるようにした実施例の上面から見た図である。
より大量の商品を陳列しようとした場合に、スリーブアウト型什器用アタッチメント１を四角柱状の陳列用ワゴン等に配置すると効率的である。
しかしながら、その際、四隅に前辺部３００が配置されない部分が出来、無駄である。そこで、四角柱状の陳列棚の周囲に前辺部３００を配置する際に、隙間なく配置する構造が求められていた。
【００２９】
陳列棚Ｊが四角柱状の場合におけるスリーブアウト型什器用アタッチメント１は、固定部１００と接続部２００と前辺部３００及び屈曲部４００から構成され、接続部２００は、固定部１００から前に突出し、外方向に９０度折曲がり、四角柱状の陳列棚Ｊの中心から四隅に向かう線に沿って伸びる。前辺部３００の長さは、ほぼ、四角柱状の陳列棚Ｊを取り囲む正方形の１辺の長さであり、四隅においても隣接する前辺部３００との隙間は小さい。
このような構成とすることで、スリーブアウト型什器用アタッチメント１を四角柱状の陳列棚Ｊに配置する場合であっても、周囲に漏れなく、商品Ｍを配置することが出来る。
（実施例３）
【００３０】
図３は、本発明に係るスリーブアウト型什器用アタッチメント１の両端付近から両端に向かって内側へ穏やかに曲げられた曲げ形状部３０５を有する場合の実施例説明図である。以下図３に基づいて、別の実施例の構成について説明する。図３に示した実施例では、本発明に係るスリーブアウト型什器用アタッチメント１を４つ組み合わせて四角柱状の陳列棚に配置する構成例である。
前記前辺部において、両端付近から両端に向かって内側へ穏やかに曲げられた曲げ形状部３０５を有し、係る曲げ形状部の端部と前記接続部の端部が繋がる構成を採用した場合、接続部との繋ぎ部では、陳列商品の向きが、直交することにより隙間が出来てしまう問題がある。そこで、係る問題を解消すべく、四隅の角部の付近が曲状である前辺部３００ａとすることにより、係る隙間の発生を防止することが可能である。
【００３１】
陳列棚Ｊが四角柱状の場合におけるスリーブアウト型什器用アタッチメント１の別の実施例として、図３に示す通り、固定部１００と接続部２００と前辺部３００ａ及び屈曲部４００から構成されている。
接続部２００は、固定部１００から前に突出し、外方向に９０度折曲がり、四隅付近で、陳列棚Ｊ側に曲がる曲線となり、四角柱状の陳列棚Ｊの中心から四隅に向かう線に沿って伸びる。前辺部３００は、端部が陳列棚Ｊ側に曲がり、概ね、四角柱状の陳列棚Ｊの中心からの円弧を構成している。
このような構成とすることで、四角柱状の陳列棚Ｊの四隅においても、商品Ｍを円周上に支障なく配置及することが出来る。
（実施例４）
【００３２】
他の実施例について図４を用いて説明する。
図４は、本発明に係るスリーブアウト型什器用アタッチメント１の他の実施例であり、４つのスリーブアウト型什器用アタッチメント１を陳列棚Ｊの４辺に配置した状態を示している。但し、４個に限定されるものではなく、円周を任意の角度で分割した前辺部３００を有する構成を採用することもできる。
なお図４は、実施例の上面から見た図である。
実施例３において、四角柱状の陳列棚Ｊの周囲に隙間を生じさせることなく、前辺部３００を配置することができるが、円柱状の陳列棚Ｊに於いても同様に周囲に隙間を生じさせることなく、前辺部３００を配置する構造を採用することもできる。
【００３３】
陳列棚Ｊが、円柱状である場合におけるスリーブアウト型什器用アタッチメント１は、固定部１００ａと接続部２００と前辺部３００ｂ及び屈曲部４００から構成され、固定部１００ａは、リング状の被固定部に固定するため、リングの内周、外周に対応する面は、リングに対応する曲面である。接続部２００は、屈曲部４００を介して固定部１００から前に突出し、外方向に９０度折曲がり、円柱状の陳列棚Ｊの中心からの円に沿う曲線であり、４分の１円を構成する位置で、柱状の陳列棚Ｊの中心からの線に沿って伸びる。前辺部３００は、全体が円柱状の陳列棚の中心からの円に沿う曲線であり、概ね、円柱状の陳列棚の周囲を覆う４分の１円を構成している。
このような構成とすることで、円柱状の陳列棚Ｊにおいて、周囲に隙間なく、均等に商品Ｍを配置することが出来る。
さらに、円柱状の陳列棚Ｊは、図３のように四角柱との組み合わせにおいて、図４のような前辺部が組み合わせることにより円状を構成する構成でもよい。
（実施例５）
【００３４】
図５は、前辺部３００が伸縮可能な場合の実施例説明図である。
図５（ａ）は、全体斜視図であり、図５（ｂ）は、伸縮機構を示す拡大図である。
他の実施例について図５を用いて説明する。
図５は、本発明に係るスリーブアウト型什器用アタッチメント１の他の実施例であり、前辺部３００ｃは伸縮可能であり、前辺部３００の内側を構成する筒状部材には絞りが入り、外側の筒にはそれに対応する凸部がある実施例の斜視図及び断面図である。
フェイスアウト型用什器アタッチメントＤと共に用いる例を示したが、陳列棚Ｊ等の寸法や取扱商品の数によっては、スリーブアウト型什器用アタッチメント１の前辺部３００ｃの長さが可変可能な構成を採用することもできる。
【００３５】
前記前辺部が２つの分割構造を有し、一方は中空部材で他方を嵌入可能とし、長手方向の長さを可変可能とする構成を採用したことを特徴とする請求項１から請求項４のいずれかに記載のスリーブアウト型什器用アタッチメント。  係る伸縮機能を備えた場合のスリーブアウト型什器用アタッチメント１は、図５に示すように、固定部１００と接続部２００と前辺部３００ｃと屈曲部４００から構成され、前辺部３００ｃは、通常の太さの部分と、該前辺部３００ｃの内側に挿入可能な太さの内筒部３１０から成る。この場合において前辺部３００ｃに対して、内筒部３１０の挿入量は任意とすることで出来るので、使用者は商品Ｍの量に合わせて、前辺部３００の長さを可変することが出来る。
また、前辺部３００ｃの一部に内側への突起を設け、内筒部３１０の周面に対応する絞り３２０を設けることで、内筒部３１０が前辺部３００ｃに対して、不用意に回転してしまうことを防ぐことが出来る構成とすることも望ましい。
（実施例６）
【００３６】
図６は、本発明に係るスリーブアウト型什器用アタッチメント１を２つ以上並列して使用した場合の使用状態説明図であり、図６（ａ）は全体斜視図であり、図６（ｂ）は、正面視からみた形状説明図であり、図６（ｃ）は、連接した場合の接続部２００の拡大図である。
係る実施例について図６を用いて以下説明する。
本発明に係るスリーブアウト型什器用アタッチメント１を２つ以上並列して配置する場合、接続部２００に凹部２１０又は凸部２２０とを備え、これらが嵌合によって結合していることにより、一方のスリーブアウト型什器用アタッチメント１に陳列商品が吊り下げられ、荷重が加わった場合に、他方のスリーブアウト型什器用アタッチメント１へ荷重を分散させることで剛性を確保する構成を示している。
【００３７】
図６（ｂ）に示すように、前辺部３００の位置を揃えるため、接続部２００の側面いづれか一方に、凸部２１０又は凹部２２０が形成され、他方にはこれと嵌合関係となる凸部２１０又は凹部２２０が形成され、係る凸部２１０と凹部２２０を嵌合することによって、隣接するスリーブアウト型什器用アタッチメント１の前辺部３００の位置のずれを防止することが出来る（図６（ｃ））。
（実施例７）
【００３８】
図７は、本発明を並列した場合の接続部の嵌合状態を示す説明図であり、連接の際、接続部２００の嵌合状態を示す図である。詳しくは、図７（ａ）は矩形の凹凸による嵌合状態を示し、図７（ｂ）は、くさび型による嵌合状態を示し、図７（ｃ）は、接続部に切り欠き形状を配して当接させた場合に、一方の上面と他方の下面とを当接させる一組の接続形状を有し、更に、相互に荷重を分散させるために、前記上面と下面の関係を置換させた構成も備えることが望ましい。
係る構成を採用することによって、商品Ｍが多数前辺部３００に備えられた場合であっても、隣接するスリーブアウト型什器用アタッチメント１へ荷重を分散させることが可能となり、商品Ｍを整然と配列させることが可能となる。
【００３９】
図７（ａ）において、凸部２１０ａは、接続部２００の一部を切削又はプレス等の一般的機械加工で形成すればよい。凹部２２０ａは、凸部２１０ａに対応する凹部を形成する。この構造とすることで、凸部２１０ａにおいても、太さを他の部分と同一に出来る。
図７（ｂ）において、凸部２１０ｂは、接続部２００の一部を切削又はプレス等の一般的機械加工で形成すればよい。かつ、凸部の先端を広くする切削を行う。凹部２２０ａは、凸部２１０ａに対応する凹部を有する。この構造とすることで、前辺部３００の位置ずれを防ぐと共に、接続部２００同士をより強固に固定出来る。
図７（ｃ）において、凸部２１０ｃは、接続部２００の下側４分の１円を切削と、上側４分の１円を一定の間隔切削で行う。凹部２２０ａは、凸部２１０ａで接続部２００の下側４分の１円を切削した部分に対向する部分は上側４分の１円を切削し、凸部２１０ａで接続部２００の上側４分の１円を切削した部分に対向する部分は下側４分の１円を切削する。この構造とすることで、見た目、特殊な形状とすることなく、前辺部３００の位置ずれを防ぐことが出来る。
（実施例８）
【００４０】
図８は、前辺部に傾斜溝が設けられた実施例説明図であり、図８（ａ）は、傾斜溝を１方向に備えた場合を示し、図８（ｂ）は傾斜溝を傾斜する方向に備えた状態を示している。
係る構成は、前辺部３００に斜め溝部３３０を複数配置する構成を採用した場合であって、該斜め溝部３３０は、斜め４５度の角度で、溝の幅を概ね、商品Ｍの吊り下げフックの幅より若干広い程度の寸法とし、該斜め溝部３３０の間隔は、１センチ程度であってもいいし、さらに細かくしてもよい。係る斜め溝部３３０を設けることによって、前辺部３００に吊り下げられた商品Ｍは、自然に４５度の傾きを持って配置されることとなり、商品Ｍが傾いた状態で重なって陳列され、商品Ｍの模様等が顧客から確認しやすくなることで、フェイスアウト型什器用アタッチメントとスリーブアウト型什器用アタッチメントの両方の利点を有する陳列を行なうことができる。
（実施例９）
【００４１】
図９は固定部にプライス用のバーをつけた実施例説明図である。
係る構成は、スリーブアウト型什器用アタッチメント１において、別個にフェイスアウト型什器用アタッチメントの機能を追加する構成である。係る構成を採用することによって、その多機能な什器の提供を図ることができる。
【００４２】
具体的には、スリーブアウト型什器用アタッチメント１の片側又は、両端の固定部に前方への突き出した多機能演出部５００及びその先端が上方へ曲げられたフック５１０が形成されている。係る構成を採用することにより、前辺部に吊り下げられた商品の説明や価格等を表示するための値札等表示素材の設置が容易となる。
（実施例１０）
【００４３】
図１０は、本発明に係るスリーブアウト型什器用アタッチメント１の使用状態説明図であり、図１０（ａ）は、本発明の請求項１に係る構成を採用したスリーブアウト型什器用アタッチメント１のスリーブアウト陳列の例を示した使用状態説明図であり、図１０（ｂ）は、従来のフェイスアウト陳列の例を示したものであり、図１０（ｃ）は、前記（ａ）及び（ｂ）を複合的に組み合わせて使用した場合の構成を示す説明図である。
なお、図１０（ａ）の３段に構成されたうち、中央段に示された靴下の陳列が抜けている状態の図示は、商品が複数引き抜かれ、数が減った状態を示しているが、全体を平均的に移動することにより特定の商品が欠品しているような印象を与えることはない。
これに対し、図１０（ｂ）の従来型フェイスアウト陳列では、特定の商品が欠品していることが明確となり、品揃えの悪さ、あるいは、売れ残り商品という負のイメージを与えてしまうものである。
【００４４】
たとえば、図１０（ｃ）のように、売れ筋の商品や、新商品などを目立たせたいものについては、フェイスアウト陳列を採用し、その他の商品については、本願発明に係るスリーブアウト型什器用アタッチメント１を用いることで、商品の欠品を目立たせることがないようにするなど、配置のバリエーションの自由が高まることが示されている。
（実施例１１）
【００４５】
図１１は、本発明に係る固定部の別の形状を変更した構成を採用した場合の説明図であり、図１１（ａ）は、形状を示す三面図であり、図１１（ｂ）は、２以上の格子状の陳列棚Ｊに係止した状態を示す使用状態説明図である。
図１１に示すように、固定部１００は、特に位置関係が問題となるものの、その形状については、特に限定するものではなく、他の形状であってもしっかりと固定できるものであればこれらの構成を変更して使用する事も可能である。
【００４６】
図面に示した実施例は、比較的ピッチの広い、格子状の陳列棚Ｊを示しているが、これは一つの実施例を示したものであって、図に示すような、上下の爪部のピッチと格子のピッチが合う必要はなく、上部爪部１１２がしっかりと陳列棚Ｊの部材に係って固定できればよく、特に下部爪部１１４の位置については、限定するものではない。即ち、陳列棚Ｊは、板状、格子状、もしくは網状であってもよい。
（実施例１１）
【００４７】
図１２は、使用状態における陳列状態比較説明図であり、図１２（ａ）は従来型のフェイスアウト陳列を示し、図１２（ｂ）はスリーブアウト陳列の例を示し、図１２（ｃ）は斜めに商品Ｍを陳列する態様を示している。図１２（ａ）は、商品Ｍの柄や形は正面視において確認できるものの、その商品Ｍのうち、一番手前の一つの商品しか見えない。また、本願発明のスリーブアウト型什器用アタッチメント１を用いた図１２（ｂ）は、売れ残り感を発生しにくくさせるなどの効果を生じさせるが、この場合であると、商品Ｍの全体形状や模様は見えにくい。
図１２（ｃ）の構成では、商品Ｍが斜めに傾斜して見えるので、柄や形、或いは大きさなどの相違が認識しやすいといった効果を発揮できることを示している。
（実施例１２）
【００４８】
図１３は、本発明に係る前辺部３００が垂直に上方へシフトした構成の全体説明図であり、図１３（ａ）は、前辺部が接続部２００から上方にシフトされた構成を採用している場合の実施例説明図であり、図１３（ｂ）は、前記立ち上げ他シフト部２０５を横方向から見た側面図であり、シフト部２０５が上方に立ち上がっている。
係る構成を採用した場合、商品Ｍのハンガーフック５２０を引っ掛けた際に、連接した本発明のアタッチメント１において、連接した前記前辺部を商品に取り付けられた前記ハンガーフック５２０が横方向に移動可能な構成を採用した場合の全体説明図である。係るフックと前辺部３００の関係については、ハンガーフック５２０の先端と接続部２００との高さ方向において、クリアランスＣ１が必要であり、また、当該接続部２００と開口されたハンガーフック５２０フックとの間で、クリアランスＣ２を有している。前辺部２００のシフト量は、上方に向かって前記フックの先端から接続部の上部の間のクリアランスを必要とする。また、前記フックの付け根部分から接続部の下部の間のクリアランスを必要とする。
【００４９】
係る構成を採用することにより、本発明に係るスリーブアウト型什器用アタッチメント１を複数連結した場合に、連結された前辺部の左右領域すべてをハンガーフック５００がスライドすることが可能となり、陳列状態を容易に操作できるという優れた効果を発揮するものである。
【００５０】
図１４は、本発明に係る前辺部が垂直に上部へシフトされた場合の構成を採用した場合の組み合わせて用いる各構成毎の形状説明図であり、図１４（ａ）、図１４（ｃ）、及び図１４（ｂ）は、係る組み合わせにおいて必要な複数配置の際の最も右側に配置する構成の形状と、最も左側に配置する構成と、これらの間に係る配置に係る構成の形状と、をそれぞれ示している。
【００５１】
前辺部を単純に上方に持ち上げた場合だとすると、前辺部の両側左右端において、商品が脱落してしまうため、形状を変えて脱落を防止する構成を示している。即ち、たとえば、図面に示したように、本発明に係るアタッチメントを３つ使用する場合であると、真ん中には、前記の通りのアタッチメント１を用いればよく、左右に配置されるアタッチメントについては、前記前辺部の両サイドにおいて、商品Ｍのフックが脱落しない形状としている。なお、本脱落防止の形状は、別部品であってもよい。
【産業上の利用可能性】
【００５２】
本発明に係るスリーブアウト型什器用アタッチメントは、簡易な構造で製造でき、商品を整然と整列して陳列でき、特に晩期において売れ残り品等のイメージを需用者に起こさせることなく、多数の商品を効率よく配置して商品管理に資すると共に、整然とした商品の陳列による需用者への購買意欲喚起にも及ぶ、スリーブアウト陳列用の什器用アタッチメントの技術についての産業上の利用可能性は大きいと解する。
【符号の説明】
【００５３】
１        スリーブアウト型什器用アタッチメント
１００    固定部
１００ａ  固定部
１１０    爪状固定部
１１２    上部爪部
１１４    下部爪部
２００    接続部
２０５    シフト部
２１０    凸部
２１０ａ  凸部
２１０ｂ  凸部
２１０ｃ  凸部
２２０    凹部
２２０ａ  凹部
２２０ｂ  凹部
２２０ｃ  凹部
３００    前辺部
３００ａ  前辺部
３００ｂ  前辺部
３００ｃ  前辺部
３０５    曲げ形状部
３１０    内筒部
３２０    絞り
３３０    斜め溝部
３３０ａ  斜め溝部
４００    屈曲部
５００    多機能演出部
５１０    フック
５２０    ハンガー用フック
Ｊ        陳列棚
Ｍ        商品
Ｄ        フェイスアウト型什器用アタッチメント 
【要約】      （修正有）【課題】同種の商品を陳列する陳列棚等に備えるアタッチメントとして、多数の商品を効率よく配置して商品管理に資すると共に、晩期における商品の売れ残り感を起こさせないような商品の陳列を実現させる什器アタッチメントを提供する。【解決手段】下部が開口する略コの字状の左右の固定部１００と、商品を掛けるための前辺部３００と、商品を陳列するための奥行き領域を確保するために前記前辺部を前方に突き出すための左右の接続部２００と、前記固定部と前記接続部を繋ぐための屈曲部４００と、から構成され、前記屈曲部によって、連設時に隣り合う前記固定部同士が干渉せず、且つ、連設時に隣り合う前記接続部同士が当接関係となる位置へ前記接続部と前記固定部とを配置するように繋いでいる構成を採用した。【選択図】図１【図１】
0006022645.tif 000002
【図２】
0006022645.tif 000003
【図３】
0006022645.tif 000004
【図４】
0006022645.tif 000005
【図５】
0006022645.tif 000006
【図６】
0006022645.tif 000007
【図７】
0006022645.tif 000008
【図８】
0006022645.tif 000009
【図９】
0006022645.tif 000010
【図１０】
0006022645.tif 000011
【図１１】
0006022645.tif 000012
【図１２】
0006022645.tif 000013
【図１３】
0006022645.tif 000014
【図１４】
0006022645.tif 000015